(57)【要約】【課題】使い勝手が向上した交換レンズ鏡筒及びカメラシステムを提供する。【解決手段】交換レンズ鏡筒（１００）を、電力の供給を受けることによって作動する電動要素（１２０）と、前記電動要素に電力を供給可能に設けられた電力供給部（１０６）と、カメラ本体（１０）に対して電気的に接続され、該カメラ本体から電力の供給を受けることが可能な接続部（１０２）と、前記電動要素に対して前記電力供給部からの電力を供給するか前記接続部からの電力を供給するかを切り替え可能に設けられた切替部（１０７）とを備える構成とした。【選択図】図２
2009145532.tif 000002
【特許請求の範囲】
【請求項１】
電力の供給を受けることによって作動する電動要素と、
前記電動要素に電力を供給可能に設けられた電力供給部と、
カメラ本体に対して電気的に接続され、該カメラ本体から電力の供給を受けることが可能な接続部と、
前記電動要素に対して前記電力供給部からの電力を供給するか前記接続部からの電力を供給するかを切り替え可能に設けられた切替部と
を備える交換レンズ鏡筒。
【請求項２】
請求項１に記載の交換レンズ鏡筒において、
前記切替部は、前記電力供給部からの電力及び前記接続部からの電力のうち、電圧の高いほうの電力を前記電動要素に供給すること
を特徴とする交換レンズ鏡筒。
【請求項３】
請求項１に記載の交換レンズ鏡筒において、
前記切替部は、前記電力供給部からの電力及び前記接続部からの電力のうち、いずれか一方の電力を前記電動要素に供給し、前記一方の電力の電圧が所定値以下になったとき、前記電動要素に供給する電力を他方の電力に切り替えること
を特徴とする交換レンズ鏡筒。
【請求項４】
請求項１又は請求項２に記載の交換レンズ鏡筒において、
前記切替部は、前記電力供給部及び前記接続部の何れから前記電動要素に対して電力を供給するかを条件に応じて自動的に切り替えること
を特徴とする交換レンズ鏡筒。
【請求項５】
請求項１に記載の交換レンズ鏡筒において、
前記電力供給部からの電力及び前記接続部からの電力の何れによって前記電動要素を作動させるかを選択するための操作部と、
前記操作部に対する操作を検出し、これに応じて前記切替部を制御する制御部とをさらに備えること
を特徴とする交換レンズ鏡筒。
【請求項６】
請求項１から請求項５までの何れか１項に記載の交換レンズ鏡筒と、
該交換レンズ鏡筒を着脱可能に接続することができる前記カメラ本体と
を備えるカメラシステム。
【発明の詳細な説明】
【技術分野】
【０００１】
本発明は、交換レンズ鏡筒及びカメラシステムに関するものである。
【背景技術】
【０００２】
従来、２つの電池を備え、負荷に応じて一方の電池のみで機器を動作させるか、両方の電池を用いて機器を動作させるかを切り替えるカメラが知られている（例えば、特許文献１参照）。
【特許文献１】特開２００７−１７７０２号公報
【発明の開示】
【発明が解決しようとする課題】
【０００３】
近年、カメラの電池は、例えば、２つ以上のバッテリーセルを備えた大容量の２次電池（バッテリーパック）が使用される傾向にあり、１つのバッテリーパックでカメラを駆動することができるようになっている。しかし、上記従来のカメラでは、常に２つのバッテリーパックをカメラに装着しなくてはならないので、使い勝手が悪い。
本発明の課題は、使い勝手が向上した交換レンズ鏡筒及びカメラシステムを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、電力の供給を受けることによって作動する電動要素（１２０）と、前記電動要素に電力を供給可能に設けられた電力供給部（１０６）と、カメラ本体（１０）に対して電気的に接続され、該カメラ本体から電力の供給を受けることが可能な接続部（１０２）と、前記電動要素に対して前記電力供給部からの電力を供給するか前記接続部からの電力を供給するかを切り替え可能に設けられた切替部（１０７）とを備える交換レンズ鏡筒（１００）である。
【０００５】
請求項２の発明は、請求項１に記載の交換レンズ鏡筒において、前記切替部（１０７）は、前記電力供給部（１０６）からの電力及び前記接続部（１０２）からの電力のうち、電圧の高いほうの電力を前記電動要素（１２０）に供給することを特徴とする交換レンズ鏡筒（１００）である。
請求項３の発明は、請求項１に記載の交換レンズ鏡筒において、前記切替部（１０７）は、前記電力供給部（１０６）からの電力及び前記接続部（１０２）からの電力のうち、いずれか一方の電力を前記電動要素（１２０）に供給し、前記一方の電力の電圧が所定値以下になったとき、前記電動要素に供給する電力を他方の電力に切り替えることを特徴とする交換レンズ鏡筒（１００）である。
請求項４の発明は、請求項１又は請求項２に記載の交換レンズ鏡筒において、前記切替部（１０７）は、前記電力供給部（１０６）及び前記接続部（１０）の何れから前記電動要素（１２０）に対して電力を供給するかを条件に応じて自動的に切り替えることを特徴とする交換レンズ鏡筒（１００）である。
請求項５の発明は、請求項１に記載の交換レンズ鏡筒において、前記電力供給部（１０６）からの電力及び前記接続部（１０２）からの電力の何れによって前記電動要素（１２０）を作動させるかを選択するための操作部（１８）と、前記操作部に対する操作を検出し、これに応じて前記切替部（１０７）を制御する制御部（１１０）とをさらに備えることを特徴とする交換レンズ鏡筒（１００）である。
【０００６】
請求項６の発明は、請求項１から請求項５までの何れか１項に記載の交換レンズ鏡筒（１００）と、該交換レンズ鏡筒を着脱可能に接続することができる前記カメラ本体（１０）とを備えるカメラシステム（１）である。
なお、符号を付して説明した構成は、適宜改良してもよく、また、少なくとも一部を他の構成物に代替してもよい。
【発明の効果】
【０００７】
本発明によれば、使い勝手が向上した交換レンズ鏡筒及びカメラシステムを提供することができる。
【発明を実施するための最良の形態】
【０００８】
以下、図面を参照して、本発明を適用した交換レンズ鏡筒を含むカメラシステムの実施形態について説明する。
図１は、実施形態のカメラシステムを示す斜視図である。
図２は、図１に示すカメラシステムの概略構成を示すブロック図である。
【０００９】
図１に示すように、カメラシステム１は、カメラ本体１０と、このカメラ本体１０に対して着脱可能に設けられた交換レンズ鏡筒１００とを備えている。
カメラ本体１０は、カメラ筐体１１を備え、図２に示すように、カメラ筐体１１の内部にカメラ制御部１２、電源部１３、電源回路１４、給電回路１５、給電スイッチ１６、電気接点１７、アッテネータ１８、通信制御部２０、非接触伝達部２１、カメラ電装部３０、非接触伝達部４０及びレリーズスイッチ５０を備えている（レリーズスイッチ５０は図１参照）。
【００１０】
カメラ筐体１１は、交換レンズ鏡筒１００を着脱自在に装着する装着部１１−１を有している。
装着部１１−１は、交換レンズ鏡筒１００との装着面が導電性のある金属部材で形成されており、後述の電源部１３の陰極部Ｍ１に接続され、カメラ筐体１１をグランドにしている。
カメラ制御部１２は、カメラ本体１０の各部を制御するマイクロコンピュータであり、カメラ本体１０の電源部１３からの電力供給を制御したり、カメラ電装部３０を制御したり、後述の交換レンズ鏡筒１００のレンズ機構部１２０の駆動指令を通信制御部２０を介して送信したりする。
【００１１】
また、カメラ制御部１２は、交換レンズ鏡筒１００がカメラ本体１０に装着されているか否かの判断を、電気接点１７を介して後述の交換レンズ鏡筒１００に設けられた抵抗部１０３の抵抗値（例えば、４７ｋΩ）による電圧（又は電流）の変化を検出することにより判断している。カメラ制御部１２は、その電圧の変化から、交換レンズ鏡筒１００が装着されていると確認したときに、給電スイッチ１６をＯＮ（電力供給）の状態にして、電気接点１７へ電力を供給させている。
ここで、後述の給電スイッチ１６には、スイッチを短絡するように抵抗部１６ａ（例えば、１００ｋΩ）が設けられている。そのため、カメラ制御部１２は、給電スイッチ１６がＯＦＦの状態であっても、抵抗部１６ａの両端の電圧信号（Ｖ１及びＶ２）を検出することができ、その検出結果によってカメラ本体１０に交換レンズ鏡筒１００が装着されているか否かを確認することができる。
【００１２】
仮に、カメラ本体１０に交換レンズ鏡筒１００が装着されていないと判断した場合は、カメラ制御部１２は、給電スイッチ１６をＯＦＦの状態にする信号を出力し、電気接点１７への電力供給を遮断する。このようにすることで、カメラ制御部１２は、交換レンズ鏡筒１００がカメラ本体１０に装着されていないときに、カメラ筐体１１の装着部１１−１に表出する電気接点１７が、電気ショートを発生させるなどの危険性を回避することができる。
【００１３】
また、カメラ制御部１２は、撮影モードと低消費電力モードとを有し、不図示の電源スイッチが入った状態におけるカメラ本体１０の使用状態に応じて、カメラ本体１０の各部への電力供給を制限し、消費電力を低減させている。
具体的には、撮影モードは、被写体の撮影を即時に実施することができるように、カメラ制御部１２が、カメラ本体１０及び交換レンズ鏡筒１００の各部に電力を供給させている。これに対し、低消費電力モードは、カメラ本体１０の撮影動作が特定の時間実施されないときに、カメラ制御部１２が、信号ＣＴＬ１を電源回路１４に送信し、電源回路１４から供給される電力を遮断し、また、後述の給電スイッチ１６をＯＦＦの状態にして、消費電力を低減させている。ここで、信号ＣＴＬ１は、カメラ制御部１２が電源回路１４に対し送信する信号であり、電源回路１４に電力を供給させるか否かの指令が含まれている。
【００１４】
撮影モードから低消費電力モードへの切り替えは、レリーズスイッチ５０が、特定の時間（例えば、５分）操作されなかったときに切り替わり、また、低消費電力モードから撮影モードへの切り替えは、レリーズスイッチ５０が半押しなどの操作が行われたときに切り替わる。
以上の構成により、カメラ制御部１２は、交換レンズ鏡筒１００がカメラ本体１０に装着されたことを確認し、かつ、レリーズスイッチ５０が操作されて撮影モードへと切り替わったときに、後述の給電スイッチ１６をＯＮ（電力供給）の状態に切り替え、カメラ本体１０から交換レンズ鏡筒１００に電源部１３の電力を供給することができる。
【００１５】
電源部１３は、陽極部Ｐ１及び陰極部Ｍ１を有し、カメラ本体１０の各部に電力を供給する電池であり、電源部１３の陽極部Ｐ１には、電源回路１４、給電回路１５、給電スイッチ１６及びカメラ電装部３０が接続されている。また、電源部１３の陰極部Ｍ１には、カメラ制御部１２、電源回路１４、後述の電気接点１７の陰極接点１７ｂ、通信制御部２０及びカメラ電装部３０が接続されている。
電源回路１４は、電源部１３から供給される電力の電圧を安定させて、カメラ本体１０の給電回路１５及び通信制御部２０に供給する電源安定化回路である。例えば、電源部１３が６Ｖの電源を供給している場合、電源回路１４は、電源部１３から供給された電力の電圧を５．１Ｖに調整して出力する。電圧を５．１Ｖに調整することによって、電源部１３の電圧（６Ｖ）が低下したとき（例えば、５．５Ｖ）においても、電圧の変化に影響されることなく、安定した電圧（５．１Ｖ）を通信制御部２０に供給することができる。
また、電源回路１４は、前述のカメラ制御部１２から送信される信号ＣＴＬ１の内容に応じて、電源回路１４から電力を出力したり、遮断したりする。
【００１６】
給電回路１５には、シリコンダイオード１５ａを介して供給される電源部１３の電力と、ショットキーダイオード１５ｂを介して供給される電源回路１４の電力とが入力される。給電回路１５は、これらの電力のうち、電圧の高い方を選択してカメラ制御部１２に供給するようになっている。具体的には、給電回路１５は、カメラ本体１０が撮影モードである場合には、電源回路１４で安定化された電力をカメラ制御部１２に供給し、カメラ本体１０が低消費電力モードである場合には、電源部１３から直接供給される電力をカメラ制御部１２に供給する。
ここで、給電回路１５は、電源部１３から供給される電圧（６Ｖ）を、シリコンダイオード１５ａを介して４．８Ｖに低減させ、また、電源回路１４から供給される電圧（５．１Ｖ）を、ショットキーダイオード１５ｂを介して４．８Ｖに低減させており、上述のカメラ本体１０のモードに応じて、それらの電圧の高い方をカメラ制御部１２に供給している。
【００１７】
給電スイッチ１６は、電気接点１７に電源部１３の電力を供給するか否かを切り替えるＯＮ／ＯＦＦスイッチであり、交換レンズ鏡筒１００がカメラ本体１０に装着され、かつ、カメラ本体１０が撮影モードであるとカメラ制御部１２が判断したときにＯＮ（電力供給）の状態になる。また、前述したように、給電スイッチ１６には、スイッチを短絡するように抵抗部１６ａ（１００ｋΩ）が設けられている。
電気接点１７は、カメラ筐体１１の装着部１１−１に設けられ、電源部１３の電力を、後述の交換レンズ鏡筒１００に設けられた電気接点１０２に伝達させる接触式の接点であり、電源部１３の陽極部Ｐ１に接続された陽極接点１７ａと、陰極部Ｍ１に接続された陰極接点１７ｂを有している。
アッテネータ１８は、カメラ制御部１２に入力される電源部１３と給電スイッチ１６との間の電圧（Ｖ２）の検出値を減衰させる減衰器である。
【００１８】
通信制御部２０は、後述する交換レンズ鏡筒１００のレンズ制御部１１０との通信を管理するマイクロコンピュータであり、例えば、カメラ本体１０の操作開始の信号（操作開始信号）や、後述の交換レンズ鏡筒１００のレンズ機構部１２０を駆動する駆動信号などをレンズ制御部１１０に送信したり、レンズ制御部１１０から送信結果などの信号を受信したりする。また、通信制御部２０は、電源回路１４に接続され、電源回路１４の安定化された電力が供給されることにより動作する。
【００１９】
非接触伝達部２１は、通信制御部２０に接続され、通信制御部２０と後述する交換レンズ鏡筒１００のレンズ制御部１１０との間での通信において、非接触で情報の伝達を行う伝達部である。非接触伝達部２１は、例えば、発光部と受光部とを一対にし、光を発することにより情報を非接触で伝達するフォトカプラを含んでいる。
本実施形態では、非接触伝達部２１は３つ備えられ（図１参照）、それぞれが２１ａ、２１ｂ、２１ｃとなる。非接触伝達部２１は、前述したように、フォトカプラであるので、それ自体だけでは機能せず、後述の交換レンズ鏡筒１００に備えられた非接触伝達部１１１と対になることによって、情報を非接触で伝達することができる。
【００２０】
具体的には、双方向での通信の場合を例に説明すると、非接触伝達部２１は、光を発光する発光部（例えば、発光ダイオード）及び光を受光する受光部（例えば、フォトトランジスタ）を備えており、それと対になる非接触伝達部１１１も同様に、発光部及び受光部を備えている。この構成によって、非接触伝達部２１の発光部が光を発光した場合、非接触伝達部１１１の受光部がその光を受光し、非接触伝達部２１から非接触伝達部１１１に特定の情報を送信することができる。また、非接触伝達部１１１の発光部が光を発光した場合、非接触伝達部２１の受光部がその光を受光し、非接触伝達部１１１から非接触伝達部２１に特定の情報を送信することができる。
【００２１】
カメラ電装部３０は、カメラ本体１０に備えられたシャッタ機構やミラー機構、閃光発光装置などの複数の電装系の駆動部であり、電源部１３と接続され、カメラ制御部１２から受信した駆動指令に基づいて各電装系を動作させる。
非接触伝達部４０は、カメラ制御部１２に接続され、後述の交換レンズ鏡筒１００の非接触伝達部１３０との信号伝達を非接触で行う伝達部であり、非接触伝達部２１と同様の発光部と受光部とを一対にしたフォトカプラである。また、非接触伝達部４０は、非接触伝達部２１と同様にそれ自体だけでは機能せず、後述の非接触伝達部１３０と対になることによって、レンズ機構部１２０の情報を非接触で伝達することができる。
このように、本実施形態のカメラシステム１は、この非接触伝達部４０及び前述の非接触伝達部２１を介してカメラ本体１０と交換レンズ鏡筒１００とが非接触通信を行うが、カメラ本体１０と交換レンズ鏡筒１００との通信は、これに限らず、電気接点１７と同様な接触式の接点を介して行ってもよい。
【００２２】
レリーズスイッチ５０は、カメラ制御部１２や通信制御部２０に接続され、被写体像の撮影を実行する操作スイッチである。本実施形態のカメラ本体１０は、レリーズスイッチ５０が半押しされることで、低消費電力モードから撮影モードに移行したり、交換レンズ鏡筒１００にオートフォーカス動作を実行させたりし、レリーズスイッチ５０が全押しされることで、被写体の撮影を実行する。
【００２３】
次に交換レンズ鏡筒１００について説明する。
交換レンズ鏡筒１００は、鏡筒筐体１０１を備え、その鏡筒筐体１０１の内部に、電気接点１０２、抵抗部１０３、電源回路１０４、電圧調整器１０５、電源部１０６、給電回路１０７、レンズ制御部１１０、レンズ機構部１２０及び非接触伝達部１３０を備えている。また、交換レンズ鏡筒１００は、その外観面に電源切り替えスイッチ１４０を備えている（図１参照）。
鏡筒筐体１０１は、カメラ本体１０と着脱自在に装着される装着部１０１−１と、カメラ本体１０と交換レンズ鏡筒１００とのグランドを共通にするピン１０１−２とを有している。
ピン１０１−２は、鏡筒筐体１０１の装着部１０１−１に設けられた導電性の部材であり、交換レンズ鏡筒１００がカメラ本体１０に装着される際に、カメラ筐体１１の装着部１１−１と接触することで、交換レンズ鏡筒１００とカメラ本体１０とのグランドを共通にしている。
【００２４】
電気接点１０２は、カメラ本体１０の電源部１３の電力を交換レンズ鏡筒１００に供給する接点であり、鏡筒筐体１０１の装着部１０１−１上の、カメラ本体１０の電気接点１７の対応する位置に設けられている。電気接点１０２は、カメラ本体１０の陽極接点１７ａと接触する陽極接点１０２ａと、カメラ本体１０の陰極接点１７ｂと接触する陰極接点１０２ｂとを備えている。電気接点１０２は、カメラ本体１０に交換レンズ鏡筒１００が装着されたときに、カメラ本体１０の電気接点１７と接触して導通し、電気接点１０２に接続された電源回路１０４や、電圧調整器１０５、給電回路１０７、レンズ制御部１１０、レンズ機構部１２０等に電力を供給する。
陽極接点１０２ａは、抵抗部１０３、電源回路１０４、電圧調整器１０５及びレンズ機構部１２０に接続され、陰極接点１０２ｂは、抵抗部１０３、電源回路１０４、レンズ制御部１１０及びレンズ機構部１２０に接続されている。
抵抗部１０３は、前述したように、カメラ本体１０のカメラ制御部１２が、カメラ筐体１１に交換レンズ鏡筒１００が装着されているか否かを確認するための抵抗である。
【００２５】
電源回路１０４は、後述のレンズ制御部１１０から送信される信号ＣＴＬ２を受信したときに、電源部１３から電気接点１０２を介して供給される電力、又は、後述する電源部１０６から供給される電力の電圧を安定させて、交換レンズ鏡筒１００のレンズ制御部１１０及びレンズ機構部１２０に供給する電源安定化回路である。本実施形態の電源部１３及び電源部１０６は、それぞれ、例えば、６Ｖの電力を供給するようになっており、電源回路１０４は、電源部１３又は電源部１０６から供給される電力の電圧を３Ｖに調整して出力する。交換レンズ鏡筒１００は、電源回路１０４によって電圧を３Ｖに調整することによって、電源部１３又は電源部１０６の電圧（６Ｖ）が低下したとき（例えば、５．５Ｖ）においても、電圧の変化に影響されることなく、安定した電圧（３Ｖ）をレンズ制御部１１０及びレンズ機構部１２０に供給することができる。
【００２６】
電圧調整器１０５は、電気接点１０２を介して供給される電源部１３の電圧（６Ｖ）を１．５Ｖに変換して、レンズ制御部１１０、非接触伝達部１１１及び非接触伝達部１３０に供給する変圧器である。
電源部１０６は、陽極部Ｐ２及び陰極部Ｍ２を有し、交換レンズ鏡筒１００の各部に電力を供給する電池である。電源部１０６の陽極部Ｐ２は、給電回路１０７に接続され、陰極部Ｍ２は、電気接点１０２の陰極接点１０２ｂに接続されている。
【００２７】
給電回路１０７には、カメラ本体１０に備えられた電源部１３の電力と、交換レンズ鏡筒１００自身に備えられた電源部１０６の電力とが入力される回路である。
交換レンズ鏡筒１００は、給電回路１０７に入力されるこれらの電力のうち、いずれか電圧の高い方を選択して電源回路１０４、電圧調整器１０５及びレンズ機構部１２０に供給するようになっている。この電源の切り替え制御については、後に詳しく説明する。
【００２８】
レンズ制御部１１０は、交換レンズ鏡筒１００の各部を統括制御するマイクロコンピュータであり、後述の非接触伝達部１１１を介して、前述の通信制御部２０からカメラ本体１０の操作開始信号や、レンズ機構部１２０への駆動信号などを受信したり、交換レンズ鏡筒１００の動作情報などをカメラ本体１０に送信したりする。
【００２９】
また、レンズ制御部１１０は、前述のカメラ制御部１２と同様に、撮影モードと低消費電力モードとを有しており、カメラ本体１０の撮影モード及び低消費電力モードに連動している。レンズ制御部１１０は、カメラ本体１０の給電スイッチ１６がＯＦＦの状態のとき、給電が遮断されているので、完全に動作停止となっており、給電スイッチ１６がＯＮの状態になったときに、低消費電力モードで動作する。このとき、カメラ本体１０から操作開始信号を非接触伝達部１１１を介して受信したときに、レンズ制御部１１０は、撮影モードへと切り替わり、電源回路１０４から電力を出力させる信号ＣＴＬ２を、電源回路１０４に送信する。ここで、信号ＣＴＬ２は、レンズ制御部１１０が電源回路１０４に対し送信する信号であり、電源回路１０４に電力を供給させるか否かの指令が含まれている。
【００３０】
非接触伝達部１１１は、レンズ制御部１１０に接続され、通信制御部２０とレンズ制御部１１０との間での通信において、非接触で情報の伝達を行うことができるフォトカプラであり、上述したように、非接触伝達部２１と対になることで非接触での情報の伝達が可能となる。また、非接触伝達部１１１は、カメラ本体１０に設けられた非接触伝達部２１ａ、２１ｂ、２１ｃに対応するように、非接触伝達部１１１ａ、１１１ｂ、１１１ｃが設けられている。
レンズ機構部１２０は、ブレ補正機構部１２１、ＡＦ機構部１２２、ＡＦ回路部１２３及び制御回路１２４を備えている。
【００３１】
ブレ補正機構部１２１は、交換レンズ鏡筒１００を装着したカメラ本体１０で被写体を撮影する撮影者の手振れによる振動が、交換レンズ鏡筒１００の不図示のレンズに伝わるのを低減させる機構であり、３台のボイスコイルモータ（ＶＣＭ）を備え、それぞれが電気接点１０２の陽極接点１０２ａ及び陰極接点１０２ｂに接続されている。
また、３台のＶＣＭは、Ｘ軸用ＶＣＭ１２１ａ、Ｙ軸用ＶＣＭ１２１ｂ及び固定用ＶＣＭ１２１ｃで構成され、Ｘ軸用ＶＣＭ１２１ａ及びＹ軸用ＶＣＭ１２１ｂは、不図示のレンズに伝わる振動を低減させるために駆動する。また、固定用ＶＣＭ１２１ｃは、ブレ補正機構部１２１を使用しないときに、不図示のレンズを特定の位置に固定させるために使用される。ブレ補正機構部１２１は、後述の制御回路１２４から出力される駆動指令に基づいて各ＶＣＭを駆動させている。
【００３２】
ＡＦ機構部１２２は、被写体を撮影するときに使用するオートフォーカスを行う機構であり、超音波モータ（ＳＷＭ）を備えており、電気接点１０２の陰極接点１０２ｂと、ＡＦ回路部１２３を介して電源回路１０４とに接続されている。
ＡＦ回路部１２３は、ＡＦ機構部１２２の超音波モータを駆動する回路であり、電源回路１０４から出力される直流３Ｖの電圧を、交流２００Ｖに変換するトランスも含まれている。また、ＡＦ回路部１２３は、後述の制御回路１２４から出力される駆動指令に基づいて、ＡＦ機構部１２２の超音波モータを駆動させることにより、オートフォーカス用レンズを駆動する。
【００３３】
制御回路１２４は、電源回路１０４と電気接点１０２の陰極接点１０２ｂとに接続され、３Ｖの電圧が供給されて動作し、ブレ補正機構部１２１及びＡＦ機構部１２２を、レンズ制御部１１０が通信制御部２０から受信する駆動信号に基づいて、駆動指令を演算して出力する回路である。さらに、制御回路１２４は、ＡＦ機構部１２２の超音波モータの移動量に応じたパルス信号を、カメラ制御部１２にフィードバックするために、非接触伝達部１３０に出力する。
非接触伝達部１３０は、カメラ制御部１２とレンズ機構部１２０の制御回路１２４との間での通信において、非接触で情報の伝達を行うことができるフォトカプラであり、上述したように、非接触伝達部４０と対になることで非接触での情報の伝達が可能となる。非接触伝達部１３０は、レンズ機構部１２０の制御回路１２４に接続されており、カメラ本体１０に対して非接触での情報の伝達を行うことができる。
【００３４】
次に、給電回路１０７において行われる電源の切り替え制御について説明する。
図３は、図２に示す交換レンズ鏡筒に備えられた給電回路の構造を示すブロック図である。
給電回路１０７は、電圧モニタ回路１０８と自動スイッチ１０９とを備えている。
電圧モニタ回路１０８は、電気接点１７、１０２を介して電源部１３の電圧をモニタリング（監視）するとともに、交換レンズ鏡筒１００に備えられた電源部１０６の電圧をモニタリングする回路である。電圧モニタ回路１０８の出力は、レンズ制御部１１０に出力され、レンズ制御部１１０は、電圧モニタ回路１０８からの出力に基づいて、電源部１３及び電源部１０６のうち、どちらの電圧が高いかを判定するようになっている。
【００３５】
自動スイッチ１０９は、レンズ制御部１１０から発信される制御信号ＣＴＬ３に応じて、レンズ機構部１２０等に供給する電力の電源を切り替えるようになっている。
交換レンズ鏡筒１００は、カメラ本体１０に備えられた電源部１３、及び、交換レンズ鏡筒１００に備えられた電源部１０６の電圧をモニタリングし、これらの電源のうち、電圧の高い電源から電力がレンズ機構部１２０に供給されるように自動制御がされるようになっている。これにより、交換レンズ鏡筒１００は、電源部１３及び電源部１０６の一方の電圧が急激に低下した場合であっても、安定して交換レンズ鏡筒１００の各部に電力を供給することができるようになっている。
【００３６】
また、本実施形態の交換レンズ鏡筒１００は、電源の自動切り替えモードとして、上述した電圧の高低に応じて電源を切り替える電圧モニタリングモードの他に、本体側電源優先モードと鏡筒側電源優先モードとが用意されている。
本体側電源優先モード及び鏡筒側電源優先モードでは、カメラ本体１０に備えられた電源部１３の電圧、及び、交換レンズ鏡筒１００に備えられた電源部１０６の電圧の高低に関わらず、これらの電源の両方がともにレンズ機構部１２０を駆動させるのに十分な電圧を保っている場合に、選択した任意の電源によってレンズ機構部１２０を駆動させることができるようになっている。この選択は、交換レンズ鏡筒１００に備えられた電源切り替えスイッチ１４０を操作することによって切り変えることができる。
【００３７】
具体的に説明すると、例えば、鏡筒側電源優先モードが選択されている場合には、レンズ制御部１１０は、これに応じて自動スイッチ１０９を制御して、電源部１０６から供給される電力によってレンズ機構部１２０が駆動されるようにする。そして、電源部１０６の電圧がレンズ機構部１２０を駆動させるのに十分でない程度に低下した場合には、これに応じて電圧の高い電源（この場合は電源部１０６）を用いてレンズ機構部１２０を駆動する。このように、鏡筒側電源優先モードでは、交換レンズ鏡筒１１０に備えられた電源部１０６（電池）を使い切った後、カメラ本体１０に備えられた電源部１３を使用するようになっている。また、レンズ制御部１１０は、本体側電源優先モードが選択されている場合には、同様に、電源部１３から供給される電力によってレンズ機構部１２０を駆動し、この電源部１３（電池）を使い切った後、交換レンズ鏡筒１１０に備えられた電源部１０６を使用する。
【００３８】
さらに、本実施形態の交換レンズ鏡筒１００は、レンズ制御部１１０による電源の自動切り替えを行わず、使用者等が選択した電源によってレンズ機構部１２０を駆動させるマニュアル選択モードが用意されている。このマニュアル選択モードの選択も、上述した電源切り替えスイッチ１４０を操作して行う。
マニュアル選択モードが選択された場合、レンズ制御部１１０は、これに応じて自動スイッチ１０９を制御して、選択に応じた電源から供給される電力のみによってレンズ機構部１２０を駆動する制御を行う。したがって、例えば、マニュアル選択モードにおいて、交換レンズ鏡筒１００に備えられた電源部１０６が選択されている場合は、電圧の高低に関わらず、電源部１０６から供給される電力によってレンズ機構部１２０が駆動される。なお、このマニュアル選択モードでは、前述の本体側電源優先モード、鏡筒側電源優先モードのように、一方の電圧が低下しても他方の電源が自動的に使用されることがない。
【００３９】
次に、カメラシステム１の動作について説明する。
カメラ本体１０は、不図示の主電源が入った状態であり、かつ、低消費電力モードであるときに、電源部１３から直接供給される電力によって、カメラ本体１０のカメラ制御部１２のみが動作している。撮影者により、レリーズスイッチ５０が操作されたとき、カメラ制御部１２は、撮影モードに切り替わり、電源回路１４に信号ＣＴＬ１を送信して、電源回路１４から安定化された電力を給電回路１５及び通信制御部２０に供給させる。このとき、給電回路１５は、カメラ制御部１２に供給される電力を、電源部１３から直接供給される電力から、電源回路１４で供給される電力へと切り替えている。
【００４０】
また、同時に、カメラ制御部１２は、給電スイッチ１６に設けられた抵抗部１６ａを介して交換レンズ鏡筒１００に設けられた抵抗部１０３の有無による電圧の変化を検出し、カメラ本体１０に交換レンズ鏡筒１００が装着されているか否かを確認する。
交換レンズ鏡筒１００がカメラ本体１０に装着されていると判断した場合、カメラ制御部１２は、給電スイッチ１６をＯＮの状態にして、電源部１３の電力を、電気接点１７及び電気接点１０２を介して交換レンズ鏡筒１００に供給する。仮に、交換レンズ鏡筒１００がカメラ本体１０に装着されていないと判断した場合、カメラ制御部１２は、給電スイッチ１６をＯＦＦの状態に維持し、電気接点１７に電力を通電させない。電気接点１７に電力を通電しないことで、電気接点１７における電気ショートなどの危険性を防止している。
【００４１】
電気接点１０２を介して交換レンズ鏡筒１００に供給された電力は、電圧調整器１０５及び給電回路１０７に供給される。電圧調整器１０５は、電源部１３から供給された電力の電圧を１．５Ｖに変換して、レンズ制御部１１０、非接触伝達部１１１及び非接触伝達部１３０に供給する。電圧調整器１０５を介して電源部１３の電力が供給されたら、レンズ制御部１１０は、低消費電力モードで動作を開始する。また、レンズ制御部１１０は、カメラ本体１０の通信制御部２０から、カメラ本体１０の操作開始にともなって発信される信号（操作開始信号）を、非接触伝達部１１１を介して受信するまでは、低消費電力モードで動作し続ける。
仮に、レンズ制御部１１０が特定の時間内（５分）に操作開始信号を受信しなかった場合、カメラ本体１０は、低消費電力モードとなり、レンズ制御部１１０の電源は遮断される。
【００４２】
通信制御部２０から、カメラ本体１０の操作開始信号を受信したら、レンズ制御部１１０は、撮影モードに切り替わり、電源回路１０４から電力を出力させる信号ＣＴＬ２を、電源回路１０４に送信し、電源回路１０４は、レンズ制御部１１０及びレンズ機構部１２０に安定化させた電力を供給する。電力が供給されることにより、カメラ本体１０及び交換レンズ鏡筒１００は、撮影可能な状態となり、レリーズスイッチ５０の操作により、カメラ電装部３０や、レンズ機構部１２０を作動させて、被写体像が撮影者によって撮影される。
【００４３】
ここで、撮影モードにおいて、レンズ制御部１１０は、カメラ本体側から発信されるオートフォーカス指示信号等に応じてレンズ機構部１２０を作動させるが、このレンズ機構部１２０を作動させるための電源は、選択された電源切り替えモードによって異なる。
例えば、電圧モニタリングモードでは、電源部１３（カメラ本体１０側）、及び、交換レンズ鏡筒１００自体に備えられた電源部１０６のうち、電圧の高い方の電源が使用される。また、本体側電源優先モード、鏡筒側電源優先モード、及び、マニュアル選択モードでは、原則として選択された電源が使用される。
【００４４】
レンズ制御部１１０は、給電スイッチ１６がＯＦＦの状態のときは、低消費電力モードで動作しており、カメラ本体１０のカメラ制御部１２が交換レンズ鏡筒１００の装着を確認したときに、給電スイッチ１６がＯＮの状態になり、さらに、カメラ本体１０の操作開始信号を、カメラ本体１０から非接触伝達部１１１を介して受信したときに、撮影モードへと切り替わる。
【００４５】
以上説明した本実施形態の交換レンズ鏡筒１００によれば、以下の効果を得ることができる。
（１）交換レンズ鏡筒１００に電源部１０６を設けたので、カメラ本体１０から電力の供給を受けることなく、レンズ機構部１２０に備えられたＶＣＭ１２１や超音波モータを作動させることができる。したがって、カメラ本体１０の電源部１３の電圧が低下した場合であっても、確実にレンズ機構部１２０を駆動させることができ、使い勝手が向上する。また、レンズ機構部１２０を駆動させるための大容量電池や、複数の電池をカメラ本体１０に装着する必要がなく、カメラ本体１０を小型化できる。
（２）交換レンズ鏡筒１００は、自身が備える電源部１０６によってレンズ機構部１２０を動作させることが可能であるので、例えば、電源部１３を備えないカメラ（図示省略）に装着された場合であっても像振れ補正機能を発揮することができる。さらに、例えば、交換レンズ鏡筒１００のレンズ機構部１２０を修理等する場合であっても、交換レンズ鏡筒１００と外部電源とを接続してレンズ機構部１２０に電力を供給する必要がなく、便利である。
（３）電源部１３から供給される電力、又は、電源部１０６から供給される電力のうち電圧の高い方を選択するので、電源部１３又は電源部１０６の一方が、急激に電圧が低下した場合でも、安定して交換レンズ鏡筒１００の各部に電力を供給することができる。
（４）電圧の高低に応じた自動切り替えの他に、任意の電源によってレンズ機構部１２０を駆動させることができるので、便利である。例えば、カメラ本体１０において、閃光発光装置等、電力消費の大きなものを使用することが予め予想できるような場合には、電源部１０６から供給される電力によって、交換レンズ鏡筒１００のレンズ機構部１２０を駆動するとよい。
（５）本体側電源優先モード、鏡筒側電源優先モードを選択すれば、一方の電源を使い切ることができるので、効率がよい。また、マニュアル選択モードが用意されているので、一方の電源の消費を抑制したい場合に等に便利である。
（６）カメラシステム１は、電力伝達を行う電気接点１７及び電気接点１０２と、非接触での情報の伝達を行う非接触伝達部２１及び非接触伝達部１１１とを備えているので、電力をカメラ本体１０から交換レンズ鏡筒１００へと効率よく伝達することができ、また、特定の電圧に設定された信号を送信あるいは受信することなく、非接触で互換性の高い信号によってカメラ本体１０及び交換レンズ鏡筒１００の間を通信することができる。
（７）カメラシステム１は、電気接点１０２に接続された抵抗部１０３と、カメラ本体１０に交換レンズ鏡筒１００が装着されているか否かを確認するカメラ制御部１２とを備えているので、カメラ本体１０に交換レンズ鏡筒１００が装着されていない状態で、電気接点１７に電力を通電するのを防ぎ、電気接点１７における電気ショートを防止することができる。
（８）非接触伝達部１１１は、カメラ本体１０の電気接点１７から交換レンズ鏡筒１００の電気接点１０２へと伝達される電力を用いて動作しているので、カメラ本体１０及び交換レンズ鏡筒１００との間で、非接触伝達部１１１に供給する電圧を一致させる必要がなくなり、高い互換性を持たせて、カメラ本体１０及び交換レンズ鏡筒１００を最適に設計することができる。
【００４６】
［変形形態］
本発明は、以上説明した実施形態に限定されることなく、種々の変形や変更が可能であって、それらも本発明の技術的範囲に含まれる。
（１）実施形態では、カメラ本体に備えられた電源、及び、交換レンズ鏡筒に備えられた電源のうち、原則として電圧の高い電源を用いる制御を行ったが、電源の切り替え制御のパターンは、これに限られない。例えば、交換レンズ鏡筒に備えられた電動要素を作動させるための電源は、電圧に関わらず原則的にカメラ本体から供給されるようにし、この電力の電圧が所定の閾値を下回った場合に交換レンズに備えられた電源によって上記電動要素を駆動するようにしてもよい。この場合、給電回路に備えられた電圧モニタ回路は、カメラ本体の電源の電圧のみをモニタリングすればよい。
（２）実施形態の交換レンズ鏡筒は、電圧の高低に応じて交換レンズ鏡筒に備えられた電源を用いるか、カメラ本体の電源を用いるかを切り替えたが、これに限らず、他の条件に応じて（例えば、交換レンズ側で使用する電動要素の負荷変動に応じて）電源の切り替え制御を行ってもよい。
（３）実施形態では、交換レンズに備えられた電源は、もっぱら交換レンズ鏡筒に備えられた電動要素を作動させるために使用されたが、これに限らず、交換レンズに備えられた電源を用いてカメラ本体に備えられた電動要素（例えば、液晶モニタ、閃光発光装置等）を作動させてもよい。この場合、カメラ本体に実施形態のような電源切り替え回路（給電回路１０７）を設け、電圧の高低等に応じて電源を切り変えるようにしてもよい。
（４）交換レンズ鏡筒に備えられた電源の残量は、カメラ本体と交換レンズ鏡筒とで通信を行って、カメラ本体に備えられた表示装置（図示省略）に表示させるとよい。また、交換レンズ鏡筒に表示装置を設け、電源（バッテリー）の残量を表示するようにしてもよい。
【図面の簡単な説明】
【００４７】
【図１】実施形態のカメラシステムを示す斜視図である。
【図２】図１に示すカメラシステムの構成を示すブロック図である。
【図３】図２に示す交換レンズ鏡筒に備えられた給電回路の構造を示すブロック図である。
【符号の説明】
【００４８】
１：カメラシステム、１０：カメラ本体、１３：電源部、１７：本体側接続部、１００：交換レンズ鏡筒、１０２：鏡筒側接続部、１０６：電源部、１０７：給電回路、１１０：レンズ制御部、１２０：レンズ機構部
【図１】
2009145532.tif 000003
【図２】
2009145532.tif 000004
【図３】
2009145532.tif 000005